(57)【要約】      （修正有）【課題】電源線だけが配線され、特に信号線が配線されてない照明設備を簡単に照明色彩が自由に変えられ、又その時間的変化も自由に出来る様にする。【解決手段】３原色光源とその輝度の割合を制御する制御回路とその制御回路に電源線に重畳された信号を変換して伝える指令変換回路を１体化し且つ電源接続部に標準或いは広く使用されている接続部品を使用した電球と置換可能なものを製作する。電源線の適当なところに遠隔制御装置を接続する。この遠隔制御装置から電球と置換された発光体に指令を送る。【選択図】図２−１
2004214036.tif 000002
【特許請求の範囲】
【請求項１】
種々の色彩を作り出す為の三原色を構成する光源とそれを制御する為の制御回路と電源線を経て遠隔制御装置より送られてくる指令信号を解読して制御回路に適合した指令信号に変換する指令変換回路から構成される可変色発光体
【請求項２】
種々の色彩を作り出す為の三原色を構成する光源とそれを制御する為の制御回路と電源線を経て遠隔制御装置より送られてくる色彩変化パターンデータを記憶させる不揮発性メモリと、不揮発性メモリに記憶された前記色彩変化パターンデータを解読して制御回路に適合した指令信号に変換する指令変換回路から構成される可変色発光体
【請求項３】
電源部の接続部に広く使われているあるいは標準とされている接続部品を設け市販の電球及び照明装置と互換性を持たせた請求項１または２に記載の可変色発光体
【発明の詳細な説明】
【０００１】
【発明の属する技術分野】
本発明は人間をはじめとする動植物の生存する空間あるいは建築物等の構築物の構成する空間を照明色彩の変化とその時間的変化の有り方をもって演出する為の発光体に関する。
【０００２】
【従来の技術】
発光体個別に電源線と点滅或は変色を指令する信号線を必要とした。
【０００３】
以下図３、図４、図５により従来の発光体について説明する。
まず図３と図４によりその構造と構成を説明する。
外箱２７の内部の上部に三原色を構成する光源で有るＬＥＤ集合体６Ａが下向きに設置されその光は反射板７を経て光拡散板９を透過して窓８より外部に放たれる。
電源２１と制御信号２０はそれぞれ下部の端子台１７と端子台１６より必要回路に導かれる。
電源２１が印加された下で制御信号２０を遠隔制御装置１５より変化させればＬＥＤ集合体６Ａの光は種々の色彩に変化する。
図５にてその設置例を説明する。
従来型発光体１８−１，１８−２、……１８−（ｎ−１）、１８−ｎは図のように複数台その目的空間に取り付け穴１０を使って固定的に設置される事が多い。そしてその配線工事は電源線２５と信号線２６をそれぞれ敷設する必要が有る。以上のように専用の設置工事を行う事になる。
【０００４】
【発明が解決しようとする課題】
図６に１例として挙げているように街路照明器具１９−１、１９−２‥…１９−（ｎ−１），１９−（ｎ）が設置されその照明器頭部２４に白熱電球２２を装填している。
そして電源２１が供給されている。
しかし図５の信号線２６は、設置されてない。
【０００５】
そこで本発明は既存設備或は新たな設備において最小限の変更或は施工の手間及び材料で照明の色彩の変化と時間的変化が遠隔制御装置によって行えるようにするもので有る。
【０００６】
【課題を解決する為の手段】
請求項１に記載の発明は、種々の色彩を作り出す為の３原色を構成する光源とそれを制御する為の制御回路と電源線を経て送られてくる指令信号を解読して、制御回路に適合した指令信号に変換する指令変換回路で構成されることを特徴とする、可変色発光体である。
【０００７】
請求項２に記載の発明は、種々の色彩を作り出す為の３原色を構成する光源とそれを制御する為の制御回路と電源線を経て遠隔制御装置より送られてくる色彩変化パターンデータを記憶させる不揮発性メモリと、不揮発性メモリに記憶された前記色彩変化パターンデータを解読して制御回路に適合した指令信号に変換する指令変換回路で構成されることを特徴とする、可変色発光体である。
【０００８】
請求項３に記載の発明は、電源部の接続部に広く使われているあるいは標準とされている接続部品を設け市販の電球及び照明装置と互換性を持たせた請求項１または２に記載の可変色発光体である。
【０００９】
【発明の実施の形態】
以下、本発明の実施の形態として一実施例を図１、図２−１、図２−２、図６、図７に基ついて説明する。
【００１０】
本発明の発光体全体２３は、ＬＥＤ集合体６Ｂと制御部ケース１と接続部２からなる。
【００１１】
ＬＥＤ集合体６Ｂは更にＲ１‥‥Ｒｎの赤色発光ダイオード、Ｇ１‥‥Ｇｎの緑色発光ダイオード、Ｂ１‥‥Ｂｎの青色発光ダイオードから成り各色の発光ダイオードは均一に混在するように取り付けられている。
これらの赤色発光ダイオード、緑色発光ダイオード、青色発光ダイオードの其々に流れる電流を制御し輝度を変える。この電流の値の組み合わせで各色ダイオードの輝度の組み合わせが実現でき色々な色彩を実現できる。
【００１２】
制御部ケース１内に実装してある制御回路３が指令変換回路４からの指令に基付き発光ダイオードの電流の組み合わせを実現する。
【００１３】
指令変換回路４は、図２−１においては、電源回路に重畳された遠隔制御装置５から送られた制御信号を検出し制御回路３に適合した信号に変換し、制御回路３に出力する。
【００１４】
前記指令変換回路４は、図２−２においては、電源回路に重畳された遠隔制御装置５から送られた制御信号を検出し、その検出したデータを、不揮発性メモリ３０に書き込み、また、不揮発性メモリ３０に書き込まれたデータを読み込み、制御回路３に適合した信号に変換し、制御回路３に出力する。
【００１５】
接続部２の形状は、Ｅ２６／２５等の電球用口金になっており、白熱電球用のソケット２８に挿入する事が出来る。
これによって発光体全体２３は白熱電球と互換性を持つ事が出来る。
【００１６】
電源線に制御信号を重畳して送る方式は一般的には電力線搬送方式と言う用語で知られている。
【００１７】
図７に本来は白熱電球を用いている街路照明器具１９−１に本発明の発光体全体２３を装着した様子を示してある。
【００１８】
【発明の効果】
既設の街路灯内や屋内の照明器具内の電球と本発明の発光体を置き換えて、且つ電源線の１部に遠隔制御装置を接続する事により簡単に照明色彩の変化とその時間的変化を実現でき空間の景観雰囲気を色々に演出できる。
【００１９】
【図面の簡単な説明】
【図１】本発明の１実施例を示す発光体の外観
【図２−１】本発明の１実施例を示す発光体の回路ブロック図
【図２−２】本発明の１実施例を示す発光体の回路ブロック図
【図３】従来の発光体の構造断面図及び外観図
【図４】従来の発光体の回路構成
【図５】従来の発光体の据え付け例
【図６】本発明の発光体の応用の利点を示す図−１
【図７】本発明の発光体の応用の利点を示す図−２
【符号の説明】
１制御部ケース
２接続部
３制御回路Ｂ
４指令変換回路Ｂ
６ＢＬＥＤ集合体
６Ａ従来型ＬＥＤ集合体
７反射板
８窓
９光拡散板
１０取付穴
１１電線用ブッシング
１２引出口
１３制御回路Ａ
１４指令変換回路Ａ
１５遠隔制御装置Ａ
１６端子台Ａ
１７端子台Ｂ
１８−１，１８−２，１８−（ｎ−１），１８−ｎ従来型発光体
１９−１，１９−２，１９−（ｎ−１），１９−ｎ街路照明器具
２０制御信号
２１電源
２２白熱電球
２３発光体全体
２４照明器頭部
２５電源線
２６信号線
２７外箱
２８接合部ソケット
３０不揮発性メモリ
Ｒ１，Ｒ２，‥‥Ｒｎ赤色発光ダイオード
Ｇ１，Ｇ２，‥‥Ｇｎ緑色発光ダイオード
Ｂ１，Ｂ２，‥‥Ｂｎ青色発光ダイオード
【図１】
2004214036.tif 000003
【図２−１】
2004214036.tif 000004
【図２−２】
2004214036.tif 000005
【図３】
2004214036.tif 000006
【図４】
2004214036.tif 000007
【図５】
2004214036.tif 000008
【図６】
2004214036.tif 000009
【図７】
2004214036.tif 000010